(57)【要約】【課題】高光軸精度である光コネクタを提供する。【解決手段】相手側の光コネクタが嵌合され、複数の圧入孔２１ａ，２１ｂが設けられたハウジング２と、複数のレンズ体３１ａ，３１ｂを有し、複数のレンズ体３１ａ，３１ｂが連結部３２を介して連結された光学部品３とを備え、各レンズ体３１ａ，３１ｂが各圧入孔２１ａ，２１ｂに圧入されることによって固定され、その際に連結部３２は弾性変形によって各レンズ体３１ａ，３１ｂの位置を可変できる。【選択図】図２
2014153624.tif 000002
【特許請求の範囲】
【請求項１】
相手側の光コネクタが嵌合され、複数の圧入孔が設けられたハウジングと、複数のレンズ体を有し、複数の前記レンズ体が連結部を介して連結された光学部品とを備え、
前記各レンズ体が前記各圧入孔に圧入されることによって固定される光コネクタであって、
前記連結部は、弾性変形によって前記各レンズ体の位置を可変できることを特徴とする光コネクタ。
【請求項２】
請求項１記載の光コネクタであって、
前記連結部は、隣り合う前記レンズ体の一端側同士を連結し、前記連結部の撓み変形によって前記各レンズ体の位置を可変することを特徴とする光コネクタ。
【発明の詳細な説明】
【技術分野】
【０００１】
本発明は、レセプタクルタイプの光コネクタに関する。
【背景技術】
【０００２】
この種の従来の光コネクタとして、特許文献１に開示されたものがある。この光コネクタ１００は、レセプタクルタイプのものであって、図５及び図６に示すように、相手側光コネクタ（図示せず）が嵌合され、複数の圧入孔１０１ａ，１０１ｂが設けられたハウジング１０２と、複数のレンズ体１０３ａ，１０３ｂを有し、複数の前記レンズ体１０３ａ，１０３ｂが連結部１０４を介して連結された光学部品１０５とを備えている。前記各レンズ体１０３ａ，１０３ｂが前記各圧入孔１０１ａ，１０１ｂに圧入されることによって固定される。
【０００３】
ハウジング１０２には、前記レンズ体１０３ａ，１０３ｂに対向する位置に光トランシーバ１０６ａ，１０６ｂが設けられた光パッケージ１０７ａ，１０７ｂが固定される。また、ハウジング１０２には、電磁シールド対策を施すシールドケース１０８が装着される。レンズ体１０３ａ，１０３ｂ間にはスリット１０９が介設され、このスリット１０９に、圧入孔１０１ａ，１０１ｂ間に介設される遮光壁１１０が挿入される。スリット１０９の幅寸法Ａは、遮光壁１１０の厚みに合わせて設定されている。
【０００４】
上記構成では、ハウジング１０２に光学部品１０５を組み付ける際、ハウジング１０２の遮光壁１１０を光学部品１０５のスリット１０９に挿入しながら、レンズ体１０３ａ，１０３ｂをそれぞれハウジング１０２の圧入孔１０１ａ，１０１ｂに圧入することにより、光学部品１０５が位置決め固定される。
【先行技術文献】
【特許文献】
【０００５】
【特許文献１】特開２０１０−２６３４５号公報
【発明の概要】
【発明が解決しようとする課題】
【０００６】
しかしながら、前記従来の光コネクタ１００では、複数のレンズ体１０３ａ，１０３ｂが連結部１０４を介して連結された光学部品１０５が撓み変形できない構造であるので、ハウジング１０２の２つの圧入孔１０１ａ，１０１ｂと光学部品１０５の２つのレンズ体１０３ａ，１０３ｂの位置が完全に同じでない場合、レンズ体１０３ａ，１０３ｂを圧入孔１０１ａ，１０１ｂに圧入できないという問題がある。もし仮にレンズ体１０３ａ，１０３ｂを圧入できたとしても、レンズ体１０３ａ，１０３ｂ自体が変形した状態で圧入されるので、ハウジング１０２の圧入孔１０１ａ，１０１ｂの光軸と圧入されたレンズ体１０３ａ，１０３ｂの各光軸がずれた状態となる。
【０００７】
そこで、本発明は、前記した課題を解決すべくなされたものであり、ハウジングの圧入孔と複数のレンズ体の各位置がずれていても、高光軸精度な光コネクタを提供することを目的とする。
【課題を解決するための手段】
【０００８】
本発明は、相手側の光コネクタが嵌合され、複数の圧入孔が設けられたハウジングと、複数のレンズ体を有し、複数の前記レンズ体が連結部を介して連結された光学部品とを備え、前記各レンズ体が前記各圧入孔に圧入されることによって固定される光コネクタであって、前記連結部は、弾性変形によって前記各レンズ体の位置を可変できることを特徴とする。
【０００９】
前記連結部は、隣り合う前記レンズ体の一端側同士を連結し、前記連結部の撓み変形によって前記各レンズ体の位置を可変することが好ましい。
【発明の効果】
【００１０】
本発明によれば、ハウジングに光学部品を組み付ける際、複数のレンズ体を連結する連結部が弾性変形し、ハウジングの各圧入孔に合わせて各レンズ体の位置が変位するので、ハウジングの圧入孔と複数のレンズ体の各位置が完全に一致すると共に、各レンズ体自体が変形した状態で圧入されることを防止できる。これにより、ハウジングの圧入孔と複数のレンズ体の各位置がずれていても、高光軸精度な光コネクタを提供できる。
【図面の簡単な説明】
【００１１】
【図１】本発明の一実施形態を示し、光コネクタ（シールドカバーを除く）を後方から見た組立斜視図である。
【図２】本発明の一実施形態を示し、光コネクタを後方から見た分解斜視図である。
【図３】本発明の一実施形態を示し、ハウジング及び光学部品を後方から見た斜視図である。
【図４】本発明の一実施形態を示し、（ａ）は光学部品の正面図、（ｂ）はハウジング及びハウジングに固定した光学部品の正面図である。
【図５】一従来例を示し、光コネクタを後方から見た分解斜視図である。
【図６】一従来例を示し、（ａ）はハウジング及びハウジングに固定した光学部品の正面図、（ｂ）は光学部品の正面図である。
【発明を実施するための形態】
【００１２】
以下、本発明の実施形態を図面に基づいて説明する。
【００１３】
図１〜図４は本発明の一実施形態を示す。図１〜図４に示す本実施形態の光コネクタ１は、レセプタクルタイプのものであって、プラグインタイプの相手側光コネクタ（図示せず）が連結される樹脂製のハウジング２と、このハウジング２に装着され、左右一対のレンズ体３１ａ，３１ｂを有する光学部品３と、ハウジング２に固定される光パッケージ４と、この光パッケージ４を覆うように設けられるシールドカバー５とを備えている。
【００１４】
ハウジング２には、前方に開口し、相手側光コネクタが嵌合するコネクタ嵌合部（図示せず）と、左右一対のレンズ体３１ａ，３１ｂがそれぞれ圧入される圧入孔２１ａ，２１ｂが設けられている。
【００１５】
ハウジング２の後壁部２２には、レンズ体３１ａ，３１ｂ間に介設され、光パッケージ４側に突設される板状の突設部２３が設けられている。この突設部２３には、相手側光コネクタが嵌合する方向にそれぞれ延びる上下一対の凸部２４ａ，２４ｂが設けられ、この一対の凸部２４ａ，２４ｂを基準としてレンズ体３１ａ，３１ｂの固定位置が設定されている。
【００１６】
光学部品３は、光透過性を有する合成樹脂より一体に形成されている。光学部品３の隣り合うレンズ体３１ａ，３１ｂの一端側同士は、連結部３２を介して連結されている。この連結部３２より下部には、上下方向に延びるスリット３３が形成されている。このスリット３３には、ハウジング２の突設部２３が挿入可能であり、スリット３３の幅寸法は、突設部２３の厚みに合わせて設定されている。
【００１７】
レンズ体３１ａ，３１ｂは、前記相手側光コネクタで保持される一対の光ファイバ（図示せず）と一対の光トランシーバ（図示せず）の間で光信号を伝達する。また、各レンズ体３１ａ，３１ｂは、ハウジング２の各圧入孔２１ａ，２１ｂに挿入されるスリーブ３４ａ，３４ｂ（図示せず）が一体に設けられている。
【００１８】
連結部３２は、薄肉で容易に弾性変形（撓み変形、伸縮変形）に形成されている。連結部３２の弾性変形によって一対のレンズ体３１ａ，３１ｂの相対的位置を可変できる。
【００１９】
光パッケージ４には、フレーム４１と、このフレーム４１に搭載され、レンズ体３１ａ，３１ｂに対向する位置に配置される一対の前記光トランシーバとが設けられている。前記相手側光コネクタを前方よりハウジング２のコネクタ嵌合部に差し込んで嵌合すると、相手側光コネクタの一対のフェルール（図示せず）がレンズ体３１ａ，３１ｂの光軸上に位置決めに接続される。レンズ体３１ａ，３１ｂと光トランシーバは、その各一方が発光側であり、各他方が受光側である。
【００２０】
上記構成では、ハウジング２に光学部品３を組み付けるとき、光学部品３のスリット３３にハウジング２の突設部２３を挿入しながら、レンズ体３１ａ，３１ｂをそれぞれハウジング２の圧入孔２１ａ，２１ｂに圧入することにより、光学部品３を位置決め状態で固定する。その際、ハウジング２の圧入孔２１ａ，２１ｂと２つのレンズ体３１ａ，３１ｂの各位置がずれていても、複数のレンズ体３１ａ，３１ｂを連結する連結部３２が撓み変形し、各レンズ体３１ａ，３１ｂが各圧入孔２１ａ，２１ｂに圧入される。従って、ハウジング２の圧入孔２１ａ，２１ｂとレンズ体３１ａ，３１ｂの各位置が完全に一致すると共に、各レンズ体３１ａ，３１ｂ自体が変形した状態で圧入されることを防止できる。
【００２１】
次いで、光パッケージ４をハウジング２に組み付ける際、光トランシーバがそれぞれレンズ体３１ａ，３１ｂに対向するようにフレーム４１を配置し、ハウジング２の一方の凸部２４ａ，２４ｂをそれぞれ光パッケージ４の位置決め孔４２ａ，４２ｂに挿入し、光パッケージ４の後面がハウジング２に組み付けられた光学部品３に当接するまで光パッケージ４を押し込み、凸部２４ａ，２４ｂを位置決め孔４２ａ，４２ｂに嵌合させることにより、ハウジング２と光パッケージ４間を位置決めすると共に、位置決め孔４２ａ，４２ｂを基準として光トランシーバの固定位置を設定する。
【００２２】
上記のようにしてハウジング２に光学部品３及び光パッケージ４を組み付けた後に、シールドカバー５を装着する。
【００２３】
以上説明したように、ハウジング２に光学部品３を組み付けるとき、ハウジング２の圧入孔２１ａ，２１ｂと２つのレンズ体３１ａ，３１ｂの各位置がずれていても、ハウジング２の圧入孔２１ａ，２１ｂとレンズ体３１ａ，３１ｂの各位置が完全に一致すると共に、各レンズ体３１ａ，３１ｂが変形した状態で圧入されることを防止できる。つまり、連結部３２は弾性変形するが、各レンズ体３１ａ，３１ｂ自体は弾性変形しないため、光学部品３の樹脂成型時の寸法公差、例えば、±数十μｍの寸法公差を吸収することができ、レンズ体３１ａ，３１ｂとハウジング２の光軸が高精度で一致する。以上より、光コネクタ１は、高光軸精度のものとなる。
【００２４】
連結部３２は、２つの隣り合うレンズ体３１ａ，３１ｂの一端側同士を連結し、撓み変形によって２つの各レンズ体３１ａ，３１ｂの相対的位置を可変する。連結部３２は、撓み変形によって２つの各レンズ体３１ａ，３１ｂの相対的位置を可変するため、伸縮変形の場合よりも変位量が大きく、位置ずれ量が大きい場合にも対応できる。
【００２５】
光パッケージ４の後面がハウジング２に組み付けられた光学部品３に当接するまで光パッケージ４を押し込むことによって、ハウジング２の突設部２３が光トランシーバ間の漏れた光を遮るので、互いに干渉しないように光トランシーバ間のクロストークを抑制できる。
【００２６】
上記実施形態では、連結部３２は、薄肉で容易に弾性変形（撓み変形、伸縮変形）に形成されているが、幅細に形成して容易に弾性変形（撓み変形、伸縮変形）できるようにしても良く、又、薄肉で、且つ、幅細に形成して容易に弾性変形（撓み変形、伸縮変形）できるようにしても良い。
【００２７】
上記実施形態では、受光経路用と発光経路用の２つのレンズ体３１ａ，３１ｂを設けた場合を例示したが、本発明はこれに限定されず、２つの受光経路用であっても、２つの発光経路用であっても良い。また、複数のレンズ体は３っつ以上であっても良い。
【符号の説明】
【００２８】
１  光コネクタ
２  ハウジング
３  光学部品
２１ａ，２１ｂ  圧入孔
３１ａ，３１ｂ  レンズ体
３２  連結部
【図１】
2014153624.tif 000003
【図２】
2014153624.tif 000004
【図３】
2014153624.tif 000005
【図４】
2014153624.tif 000006
【図５】
2014153624.tif 000007
【図６】
2014153624.tif 000008